(57)【要約】【課題】電気泳動表示装置において、簡便な方法で秘匿データの埋め込み及び読み出しを行う。【解決手段】電気泳動表示装置の駆動方法は、共通電極に第１粒子及び第２粒子を互いに層をなすように引き寄せることで第１の色を表示する第１表示工程と、共通電極に第１粒子及び第２粒子を互いに混在した状態となるように引き寄せることで第２の色を表示する第２表示工程と、画素電極に第１粒子及び第２粒子を互いに層をなすように引き寄せると共に共通電極に第３粒子を引き寄せることで第３の色を表示する第３表示工程と、画素電極に第１粒子及び第２粒子を互いに混在した状態となるように引き寄せると共に共通電極に第３粒子を引き寄せることで第３の色を表示する第４表示工程とを備える。第３表示工程及び第４表示工程によって第３の色を表示する画素のうち一方には、視覚できない秘匿データが埋め込まれる。【選択図】図４
2011232526.tif 000002
【特許請求の範囲】
【請求項１】
画素毎に設けられた画素電極と、前記画素電極と対向するように配置された共通電極と、互いに同じ極性に帯電されており単位質量あたりの電荷量が異なる第１粒子及び第２粒子、並びに前記第１粒子及び前記第２粒子とは異なる極性に帯電された第３粒子を含む電気泳動素子とを備える電気泳動表示装置の駆動方法であって、
前記画素電極に前記第３粒子を引き寄せると共に、前記共通電極に前記第１粒子及び前記第２粒子を互いに層をなすように引き寄せることで、第１の色を表示する第１表示工程と、
前記画素電極に前記第３粒子を引き寄せると共に、前記共通電極に前記第１粒子及び前記第２粒子を互いに混在した状態となるように引き寄せることで、前記第１の色とは異なる第２の色を表示する第２表示工程と、
前記画素電極に前記第１粒子及び前記第２粒子を互いに層をなすように引き寄せると共に、前記共通電極に前記第３粒子を引き寄せることで、前記第１の色及び前記第２の色とは異なる第３の色を表示する第３表示工程と、
前記画素電極に前記第１粒子及び前記第２粒子を互いに混在した状態となるように引き寄せると共に、前記共通電極に前記第３粒子を引き寄せることで、前記第３の色を表示する第４表示工程と
を備え、
前記第３表示工程によって前記第３の色を表示する前記画素及び第４表示工程によって前記第３の色を表示する前記画素のうち一方には、視覚できない秘匿データが埋め込まれる
ことを特徴とする電気泳動表示装置の駆動方法。
【請求項２】
前記第３表示工程及び前記第４表示工程によって前記第３の色が表示されている前記画素において、前記画素電極及び前記共通電極に第１電圧を印加することで、埋め込まれた前記秘匿データを視覚可能とする秘匿データ読出工程を備えることを特徴とする請求項１に記載の電気泳動表示装置の駆動方法。
【請求項３】
前記第３表示工程及び前記第４表示工程によって前記第３の色が表示されている前記画素において、前記画素電極及び前記共通電極に第２電圧を印加することで、埋め込まれた前記秘匿データを読み出せないようにする秘匿データ消去工程を備えることを特徴とする請求項１又は２に記載の電気泳動表示装置の駆動方法。
【請求項４】
画素毎に設けられた画素電極と、
前記画素電極と対向するように配置された共通電極と、
互いに同じ極性に帯電されており単位質量あたりの電荷量が異なる第１粒子及び第２粒子、並びに前記第１粒子及び前記第２粒子とは異なる極性に帯電された第３粒子を含む電気泳動素子と、
前記画素電極及び前記共通電極の各々に電位を供給することで画像を表示するように制御する制御部と
を備え、
前記制御部は、
前記画素電極に前記第３粒子を引き寄せると共に、前記共通電極に前記第１粒子及び前記第２粒子を互いに層をなすように引き寄せることで、第１の色を表示する第１表示手段と、
前記画素電極に前記第３粒子を引き寄せると共に、前記共通電極に前記第１粒子及び前記第２粒子を互いに混在した状態となるように引き寄せることで、前記第１の色とは異なる第２の色を表示する第２表示手段と、
前記画素電極に前記第１粒子及び前記第２粒子を互いに層をなすように引き寄せると共に、前記共通電極に前記第３粒子を引き寄せることで、前記第１の色及び前記第２の色とは異なる第３の色を表示する第３表示手段と、
前記画素電極に前記第１粒子及び前記第２粒子を互いに混在した状態となるように引き寄せると共に、前記共通電極に前記第３粒子を引き寄せることで、前記第３の色を表示する第４表示手段と、
を備え、
前記第３表示手段によって前記第３の色を表示する前記画素及び第４表示手段によって前記第３の色を表示する前記画素のうち一方には、視覚できない秘匿データが埋め込まれる
ことを特徴とする電気泳動表示装置。
【請求項５】
前記画素電極は、透光性を有していることを特徴とする請求項４に記載の電気泳動表示装置。
【請求項６】
前記画素電極は、遮光性を有していることを特徴とする請求項４に記載の電気泳動表示装置。
【請求項７】
請求項４から６のいずれか一項に記載の電気泳動表示装置を具備してなることを特徴とする電子機器。
【発明の詳細な説明】
【技術分野】
【０００１】
本発明は、電気泳動表示装置の駆動方法、並びに電気泳動表示装置及び該電気泳動表示装置を備えた電子機器の技術分野に関する。
【背景技術】
【０００２】
この種の電気泳動表示装置では、電気泳動粒子を含む電気泳動素子を挟持する一対の基板の各々に設けられた画素電極及び共通電極間に電位差を与えて、電気泳動粒子を移動させることで画像が表示される。電気泳動素子は、例えば黒色粒子及び白色粒子を含んでおり、これら２種類の粒子の各々が共通電極側に引き寄せられることによって、黒色又は白色の２つの階調が表示される。更には、黒色及び白色以外の色（例えば、赤色や青色等）の電気泳動粒子や、着色された溶媒等を用いることで、３色以上の階調を表示可能とする技術が提案されている（例えば、特許文献１、並びに非特許文献１参照）。
【０００３】
他方で、上述したような電気泳動表示装置は、一度表示させた画像を保持し続けるという特性を持っている。このため、メモリー等に記憶された電子データにセキュリティ対策を施すと共に、表示された画像データに対しても、同様にセキュリティ対策を施すことが求められる。セキュリティ対策としては、例えばデータ中に電子透かしを埋め込むという技術が提案されている（例えば、特許文献２参照）。
【先行技術文献】
【特許文献】
【０００４】
【特許文献１】特開２００９−３１３４５号公報
【特許文献２】特開平９−１９１３９４号公報
【非特許文献】
【０００５】
【非特許文献１】Takashi Kitamura, “Challenge to Color Electronic Paper Based on Particle Control Technologies”, IDW, p.537 (2009)
【発明の概要】
【発明が解決しようとする課題】
【０００６】
しかしながら、特許文献２に係る技術では、透かしデータの作成や読み出しのために、空間周波数の解析など高性能で複雑な演算処理機能を持った情報処理機器が必要となってしまうため、結果として機器導入のコストアップを招いてしまう。一方で、このようなコストアップを避けるには演算性能を落とさざるを得ないが、容易に透かしを作成したり、速やかに透かしを読み出したりする要求に応えることができず不十分である。
【０００７】
特に電気泳動表示装置においては、埋め込まれた透かしデータを画像から読み出す際に、先ずどの部分に透かしデータが埋め込まれているかを入手することが求められる。よって、暗号化手法など別途の手段を入手して読み出すには手間がかかる。また、読み出し機器の導入時のコストアップにも繋がるおそれがある。
【０００８】
以上のように、電気泳動表示装置におけるセキュリティ対策は、実践上の様々な不都合を有しているという技術的問題点がある。
【０００９】
本発明は、例えば上述した問題点に鑑みなされたものであり、極めて簡便な方法で透かしデータの埋め込み及び読み出しを行うことが可能な電気泳動表示装置の駆動方法、並びに電気泳動表示装置及び電子機器を提供することを課題とする。
【課題を解決するための手段】
【００１０】
本発明の電気泳動表示装置の駆動方法は上記課題を解決するために、画素毎に設けられた画素電極と、前記画素電極と対向するように配置された共通電極と、互いに同じ極性に帯電されており単位質量あたりの電荷量が異なる第１粒子及び第２粒子、並びに前記第１粒子及び前記第２粒子とは異なる極性に帯電された第３粒子を含む電気泳動素子とを備える電気泳動表示装置の駆動方法であって、前記画素電極に前記第３粒子を引き寄せると共に、前記共通電極に前記第１粒子及び前記第２粒子を互いに層をなすように引き寄せることで、第１の色を表示する第１表示工程と、前記画素電極に前記第３粒子を引き寄せると共に、前記共通電極に前記第１粒子及び前記第２粒子を互いに混在した状態となるように引き寄せることで、前記第１の色とは異なる第２の色を表示する第２表示工程と、前記画素電極に前記第１粒子及び前記第２粒子を互いに層をなすように引き寄せると共に、前記共通電極に前記第３粒子を引き寄せることで、前記第１の色及び前記第２の色とは異なる第３の色を表示する第３表示工程と、前記画素電極に前記第１粒子及び前記第２粒子を互いに混在した状態となるように引き寄せると共に、前記共通電極に前記第３粒子を引き寄せることで、前記第３の色を表示する第４表示工程とを備え、前記第３表示工程によって前記第３の色を表示する前記画素及び第４表示工程によって前記第３の色を表示する前記画素のうち一方には、視覚できない秘匿データが埋め込まれる。
【００１１】
本発明の電気泳動表示装置の駆動方法によれば、例えば画素毎に画素電極が設けられた素子基板と、共通電極が設けられた対向基板との間に電気泳動素子が挟持されてなる電気泳動表示装置が駆動される。電気泳動素子は、互いに同じ極性に帯電されており単位質量あたりの電荷量が異なる第１粒子及び第２粒子、並びに第１粒子及び第２粒子とは異なる極性に帯電された第３粒子を有しており、各粒子が表示面側に位置する共通電極に引き寄せられることによって、それぞれの粒子に応じた色が表示可能とされている。
【００１２】
第１の色を表示すべき画素においては、画素電極に第３粒子が引き寄せられると共に、共通電極に第１粒子及び第２粒子が互いに層をなすように引き寄せられる。即ち、共通電極の電気泳動素子と対向する面には、第１粒子の層及び第２粒子の層が形成される。そして、第１粒子及び第２粒子のうち共通電極側に層を形成する粒子が、共通電極側から視覚可能となる。よって、共通電極側から画像を見る閲覧者は、第１粒子及び第２粒子のうち共通電極側に引き寄せられた粒子の色を視覚することになる。即ち、ここでの第１の色は、第１粒子及び第２粒子のうち、共通電極側に引き寄せられる粒子に対応した色といえる。
【００１３】
第１粒子及び第２粒子は互いに同じ極性に帯電しているが、単位質量あたりの電荷量が異なるため、電圧に応じた移動速度が異なる。即ち、第１粒子及び第２粒子は、互いに異なる速度で共通電極に引き寄せられる。この結果、共通電極の表面には第１粒子の層及び第２粒子の層が形成される。
【００１４】
第２の色を表示すべき画素においては、画素電極に第３粒子が引き寄せられると共に、共通電極に第１粒子及び第２粒子が互いに混在するように引き寄せられる。即ち、上述した第１の色を表示する場合のように第１粒子及び第２粒子の層は形成されず、共通電極の電気泳動素子と対向する面には、第１粒子の層及び第２粒子の層が混ざり合った状態で引き寄せられる。よって、共通電極側から画像を見る閲覧者は、第１粒子及び第２粒子の両方を視覚することになる。即ち、ここでの第２の色は、第１粒子及び第２粒子の色が混ざり合った色といえる。
【００１５】
第１粒子及び第２粒子は、上述したように電圧に応じた移動速度が異なる。しかしながら、画素電極及び共通電極間に鋸波のような電圧を印加することで、移動速度の差を相殺することができる。よって、第１粒子及び第２粒子は電荷量の大きさによらず、互いに近い移動速度で共通電極に引き寄せられる。この結果、共通電極の表面には第１粒子の層及び第２粒子が混在する状態となる。
【００１６】
第３の色を表示すべき画素においては、第１の色及び第２の色を表示すべき画素とは異なり、２種類の画素が存在することとなる。具体的には、第３表示工程では、画素電極に第１粒子及び第２粒子が互いに層をなすように引き寄せられると共に、共通電極に第３粒子が引き寄せられる。即ち、画素電極側には、上述した第１の色を表示する場合の共通電極側と同様に、第１粒子の層及び第２粒子の層が形成される。一方で、共通電極側には、第１粒子及び第２粒子とは異なる極性に帯電している第３粒子が引き寄せられる。よって、共通電極側から画像を見る閲覧者は、第３粒子の色を視覚することになる。即ち、ここでの第３の色は、第３粒子に対応した色といえる。
【００１７】
他方、第４表示工程では、画素電極に第１粒子及び第２粒子が互いに混在するように引き寄せられると共に、共通電極に第３粒子が引き寄せられる。即ち、画素電極側には、上述した第２の色を表示する場合の共通電極側と同様に、第１粒子の層及び第２粒子が混ざり合った状態で引き寄せられる。一方で、共通電極側には第３粒子が引き寄せられる。この場合も、共通電極側から画像を見る閲覧者は、第３粒子に対応した第３の色を視覚することになる。
【００１８】
本発明では特に、同じ第３の色を表示する画素であっても、上述したように２種類の画素が存在する。即ち、第３表示工程によって第３の色を表示する画素、及び第４表示工程によって第３の色を表示する画素が存在する。これらの画素は、第１粒子及び第２粒子が、画素電極側でどのような状態となっているか（即ち、互いに層をなしているか、或いは互いに混在しているか）が異なるのみであり、共通電極側から見る分には区別がつかない。よって、これらの２種類の画素を使い分けることで、表示画像中に視覚することができない秘匿データを埋め込むことができる。
【００１９】
例えば、秘匿データが埋め込まれない画素は、第３表示工程によって、画素電極に第１粒子及び第２粒子が互いに層をなすように引き寄せられる。一方で、秘匿データが埋め込まれる画素は、第４表示工程によって、画素電極に第１粒子及び第２粒子が互いに混在するように引き寄せられる。このようにすれば、各画素は共に第３の色を表示しているにもかかわらず、確実に異なる粒子状態を有する画素となる。従って、データ作成者が秘匿データを埋め込んだ画像を閲覧する閲覧者は、秘匿データの有無、或いは秘匿データがどこに存在するかを視覚的に判別することができない。
【００２０】
尚、埋め込まれた秘匿データを表示画像から読み出す際には、例えば書き込み時に画素電極側に引き寄せられた粒子の状態によって、読み出し時の共通電極側の粒子の状態が違ってくるような電圧を、画素電極及び共通電極間に印加すればよい。このようにすれば、秘匿データ読み出し時において、秘匿データが埋め込まれた画素と、埋め込まれなかった画素とで互いに異なる色が表示されることになる。よって、閲覧者は秘匿データを視覚的に判別することが可能となる。
【００２１】
以上説明したように、本発明の電気泳動表示装置の駆動方法によれば、極めて簡便な方法で秘匿データの埋め込み及び秘匿データの読み出しを行うことが可能である。
【００２２】
本発明の電気泳動表示装置の駆動方法の一態様では、前記第３表示工程及び前記第４表示工程によって前記第３の色が表示されている前記画素において、前記画素電極及び前記共通電極に第１電圧を印加することで、埋め込まれた前記秘匿データを視覚可能とする秘匿データ読出工程を備える。
【００２３】
この態様によれば、画像を閲覧する閲覧者が、画像中に埋め込まれた秘匿データを読み出そうとする際に、画素電極及び共通電極間に第１電圧が印加される。尚、ここでの「第１電圧」とは、書き込み時に画素電極側に引き寄せられた粒子の状態によって、読み出し時の共通電極側の粒子の状態が違ってくるような電圧であり、例えば矩形波の電圧であればよい。
【００２４】
第１電圧が印加されると、秘匿データが埋め込まれた画素と、埋め込まれなかった画素とでは互いに異なる色が表示されることになる。例えば、第３表示工程によって、画素電極に第１粒子及び第２粒子が互いに層をなすように引き寄せられていた場合には、各粒子は相対的な位置を保ったまま共通電極に引き寄せられる。よって、共通電極の表面には、第１粒子の層及び第２粒子の層が形成される。従って、閲覧者は、第１粒子に対応した色及び第２粒子に対応した色のいずれかを視覚することになる。
【００２５】
他方、第４表示工程によって、画素電極に第１粒子及び第２粒子が互いに混在するように引き寄せられていた場合にも、各粒子は相対的な位置を保ったまま共通電極に引き寄せられる。よって、共通電極の表面には、第１粒子及び第２粒子が混じった状態で引き寄せられる。従って、閲覧者は、第１粒子及び第２粒子が混じった色（即ち、第２の色）を視覚することになる。
【００２６】
以上のように、本態様では、秘匿データが埋め込まれた画素と埋め込まれなかった画素において異なる色を表示させることが可能である。よって、視覚できない秘匿データを確実に読み出すことができる。また、第３の色を表示している画素すべてに同様の電圧（即ち、第１電圧）を印加すれば済むため、閲覧者は、どの部分に秘匿データが埋め込まれているかを知らなくても、容易に秘匿データを読み出すことができる。
【００２７】
本発明の電気泳動表示装置の駆動方法の一態様では、前記第３表示工程及び前記第４表示工程によって前記第３の色が表示されている前記画素において、前記画素電極及び前記共通電極に第２電圧を印加することで、埋め込まれた前記秘匿データを読み出せないようにする秘匿データ消去工程を備える。
【００２８】
この態様によれば、画像に埋め込まれた秘匿データを何らかの理由で消去したい場合に、画素電極及び共通電極間に第２電圧が印加される。尚、ここでの「第２電圧」とは、書き込み時に画素電極側に引き寄せられた粒子の状態を、秘匿データが埋め込まれているか否かにかかわらず同様の状態とするような電圧であり、例えば鋸波の電圧であればよい。
【００２９】
第２電圧が印加されると、秘匿データが埋め込まれた画素と、埋め込まれなかった画素との粒子状態が互いに同じになる。例えば、第３表示工程によって、画素電極に第１粒子及び第２粒子が互いに層をなすように引き寄せられていた場合には、第２電圧によって、第１粒子及び第２粒子が互いに混じった状態とされる。一方で、第４表示工程によって、画素電極に第１粒子及び第２粒子が互いに混在するように引き寄せられていた場合にも、第２電圧によって、第１粒子及び第２粒子が互いに混じった状態とされる。よって、秘匿データが埋め込まれた画素と埋め込まれなかった画素は、互いに同じ粒子状態となる。言い換えれば、埋め込まれた秘匿状態が消去された状態となる。
【００３０】
以上のように、本態様では、秘匿データを読み出せないようにすることができるため、秘匿データのセキュリティをより高めることが可能である。また、第３の色を表示している画素すべてに同様の電圧（即ち、第２電圧）を印加すれば済むため、どの部分に秘匿データが埋め込まれているかを知らなくても、容易に秘匿データを消去することができる。
【００３１】
本発明の電気泳動表示装置は上記課題を解決するために、画素毎に設けられた第１画素電極及び第２画素電極と、前記第１画素電極及び前記第２画素電極と対向するように配置された共通電極と、第１の色に対応する第１粒子及び第２の色に対応する第２粒子を含む電気泳動素子と、前記第１画素電極及び前記第２画素電極、並びに前記共通電極の各々に電位を供給することで画像を表示するように制御する制御部とを備え、前記制御部は、前記第１画素電極及び前記第２画素電極に前記第２粒子を引き寄せると共に、前記共通電極に前記第１粒子を引き寄せることで第１の色を表示する第１表示手段と、前記第１画素電極及び前記第２画素電極に前記第１粒子を引き寄せると共に、前記共通電極に前記第２粒子を引き寄せることで第２の色を表示する第２表示手段と、前記第１画素電極に前記第１粒子を引き寄せると共に、前記第２画素電極に前記第２粒子を引き寄せることで前記第１の色及び前記第２の色とは異なる第３の色を表示する第３表示手段と、前記第１画素電極に前記第２粒子を引き寄せると共に、前記第２画素電極に前記第１粒子を引き寄せることで前記第３の色を表示する第４表示手段とを有しており、前記第４表示手段によって前記第３の色を表示する前記画素は、前記第３表示手段によって前記第３の色を表示する前記画素とは異なり、視覚できない秘匿データが埋め込まれる。
【００３２】
本発明の電気泳動表示装置は、例えば画素毎に画素電極が設けられた素子基板と、共通電極が設けられた対向基板との間に電気泳動素子が挟持されてなる。電気泳動素子は、互いに同じ極性に帯電されており単位質量あたりの電荷量が異なる第１粒子及び第２粒子、並びに第１粒子及び第２粒子とは異なる極性に帯電された第３粒子を有しており、各粒子が表示面側に位置する共通電極に引き寄せられることによって、それぞれの粒子に応じた色が表示可能とされている。
【００３３】
本発明では、上述した画素を制御部が駆動する。制御部は、例えば一対の基板と電気的に接続されるフレキシブル基板上に集積回路として設けられており、装置の動作全体を制御する。そして特に、制御部は上述した本発明の電気泳動表示装置の駆動方法における各工程と同様の動作を行う。よって、本発明の電気泳動表示装置の駆動方法の場合と同様に、極めて簡便な方法で秘匿データの埋め込み及び秘匿データの読み出しを行うことが可能である。
【００３４】
尚、本発明の制御部は、上述した本発明の電気泳動表示装置の駆動方法の一態様である秘匿データ読出工程に対応する動作を行う秘匿データ読出手段や、秘匿データ消去工程に対応する秘匿データ消去手段を有するように構成されてもよい。この場合、より確実且つ容易に秘匿データの読み出し及び消去が可能となる。
【００３５】
本発明の電気泳動表示装置の他の態様では、前記画素電極は、透光性を有している。
【００３６】
この態様によれば、画素電極が透光性を有しているため、画素電極側から見て、画素電極に、どの色の粒子が引き寄せられているかを視覚できる。即ち、埋め込まれた秘匿データを、通常とは異なる側の面から確認することができる。
【００３７】
上述した構成において、データ作成者側しか裏面（即ち、画素電極側の面）を見られないようにすれば、データ作成者のみが裏面を利用して秘匿データの確認を行えるような構成にできる。或いは、秘匿データを閲覧させたい閲覧者のみが裏面を見られるようにすれば、秘匿データの読み出し手段として、裏面からの確認を利用することができる。
【００３８】
本発明の電気泳動表示装置の他の態様では、前記第１画素電極及び前記第２画素電極は、遮光性を有している。
【００３９】
この態様によれば、画素電極が遮光性を有しているため、画素電極側から見て、画素電極に、どの色の粒子が引き寄せられているかを視覚することはできない。即ち、埋め込まれた秘匿データは、通常と異なる側の面からも確認することはできない。よって、秘匿データのセキュリティを高めることが可能である。
【００４０】
尚、仮に画素電極が遮光性を有していなくとも、電気泳動素子から見て画素電極側に存在するいずれかの部材が遮光性を有していれば同様の効果を得ることができる。また、セキュリティを高める観点からすれば、画素電極のみならず、画素電極側に存在する多くの部材が遮光性を有していることが好ましい。
【００４１】
本発明の電子機器は上記課題を解決するために、上述した本発明の電気泳動表示装置（但し、その各種態様も含む）を備える。
【００４２】
本発明の電子機器によれば、上述した本発明に係る電気光学装置を具備してなるので、簡便な方法で透かしデータを埋め込み及び読み出し可能な、例えば、腕時計、電子ペーパー、電子ノート、携帯電話、携帯用オーディオ機器などの各種電子機器を実現できる。
【００４３】
本発明の作用及び他の利得は次に説明する発明を実施するための形態から明らかにされる。
【図面の簡単な説明】
【００４４】
【図１】実施形態に係る電気泳動表示装置の全体構成を示す平面図である。
【図２】実施形態に係る電気泳動表示装置における画素の電気的な構成を示す等価回路図である。
【図３】実施形態に係る電気泳動表示装置の表示部の部分断面図である。
【図４】画素電極及び共通電極間に印加される電圧の変化を示すグラフである。
【図５】緑表示を行う画素の書き込み時の電気泳動粒子を示す概念図である。
【図６】白表示を行う画素の書き込み時の電気泳動粒子を示す概念図（その１）である。
【図７】シアン表示を行う画素の書き込み時の電気泳動粒子を示す概念図である。
【図８】白表示を行う画素の書き込み時の電気泳動粒子を示す概念図（その２）である。
【図９】緑表示を行う画素の書き込み時の電気泳動粒子を示す概念図である。
【図１０】書き込まれるデータを種類別に示すマトリックス図である。
【図１１】書き込み時の表示面側の色を種類別に示すマトリックス図である。
【図１２】書き込み時の裏面側の色を種類別に示すマトリックス図である。
【図１３】秘匿データ読み出し時の表示色を種類別に示すマトリックス図である。
【図１４】秘匿データ消去時の表示色を種類別に示すマトリックス図である。
【図１５】配布時の電子ペーパーくじを示す平面図である。
【図１６】データ読み出し時の電子ペーパーくじを示す平面図である。
【発明を実施するための形態】
【００４５】
以下では、本発明の実施形態について図を参照しつつ説明する。
【００４６】
＜電気泳動表示装置及びその駆動方法＞
本実施形態に係る電気泳動表示装置及びその駆動方法について、図１から図１４を参照して説明する。尚、以下の実施形態では、本発明の電気泳動表示装置の一例としてＴＦＴアクティブマトリクス駆動方式の電気泳動表示装置を挙げて説明する。
【００４７】
先ず、本実施形態に係る電気泳動表示装置の全体構成について、図１及び図２を参照して説明する。
【００４８】
図１は、本実施形態に係る電気泳動表示装置の全体構成を示すブロック図である。
【００４９】
図１において、本実施形態に係る電気泳動表示装置１は、表示部３と、コントローラ１０と、走査線駆動回路６０と、データ線駆動回路７０と、共通電位供給回路２２０とを備えている。
【００５０】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。このｍ本の走査線４０とｎ本のデータ線５０との交差に対応して画素２０が配置されている。
【００５１】
コントローラ１０は、走査線駆動回路６０、データ線駆動回路７０及び共通電位供給回路２２０の動作を制御する。コントローラ１０は、例えば、クロック信号、スタートパルス等のタイミング信号を各回路に供給する。
【００５２】
走査線駆動回路６０は、コントローラ１０から供給されるタイミング信号に基づいて、走査線Ｙ１、Ｙ２、…、Ｙｍの各々に走査信号をパルス的に順次供給する。
【００５３】
データ線駆動回路７０は、コントローラ１０から供給されるタイミング信号に基づいて、データ線Ｘ１、Ｘ２、…、Ｘｎに画像信号を供給する。画像信号は、高電位ＶＨ（例えば１５Ｖ）又は低電位ＶＬ（例えば０Ｖ）の２値的な電位をとる。
【００５４】
共通電位供給回路２２０は、共通電位線９３に共通電位Ｖｃｏｍを供給する。尚、共通電位Ｖｃｏｍは一定の電位であってもよいし、例えば書き込む階調に応じて変化してもよい。
【００５５】
本実施形態では、後述するように、画素２０に共通電位Ｖｃｏｍと同一の電位が供給される。これは、例えば共通電位供給回路２２０から出力される共通電位Ｖｃｏｍが高電位ＶＨ又は低電位ＶＬと同一の電位とされることで実現されてもよいし、データ線駆動回路７０から高電位ＶＨ及び低電位ＶＬに加えて、共通電位Ｖｃｏｍと同一である他の電位が供給されることで実現されてもよい。
【００５６】
尚、コントローラ１０、走査線駆動回路６０、データ線駆動回路７０及び共通電位供給回路２２０には、各種の信号が入出力されるが、本実施形態と特に関係のないものについては説明を省略する。
【００５７】
図２は、画素の電気的な構成を示す等価回路図である。
【００５８】
図２において、画素２０はトランジスタ２４と、画素電極２１と、共通電極２２と、電気泳動素子２３と、保持容量２７とを備えて構成されている。
【００５９】
トランジスタ２４は、例えばＮ型トランジスタで構成されている。トランジスタ２４は、そのゲートが走査線４０に電気的に接続されており、そのソースがデータ線５０に電気的に接続されており、そのドレインが画素電極２１及び保持容量２７に電気的に接続されている。トランジスタ２４は、データ線駆動回路７０（図１参照）からデータ線５０を介して供給される画像信号を、走査線駆動回路６０（図１参照）から走査線４０を介してパルス的に供給される走査信号に応じたタイミングで出力する。
【００６０】
画素電極２１には、データ線駆動回路７０からデータ線５０、トランジスタ２４を介して、画像信号が供給される。画素電極２１は、電気泳動素子２３を介して共通電極２２と互いに対向するように配置されている。
【００６１】
共通電極２２は、共通電位Ｖｃｏｍが供給される共通電位線９３に電気的に接続されている。
【００６２】
電気泳動素子２３は、電気泳動粒子をそれぞれ含んでなる複数のセルから構成されている。
【００６３】
保持容量２７は、誘電体膜を介して対向配置された一対の電極からなり、一方の電極が、トランジスタ２４及び画素電極２１に電気的に接続され、他方の電極が共通電位線９３に電気的に接続されている。保持容量２７によれば、画像信号を一定期間だけ維持することができる。
【００６４】
次に、本実施形態に係る電気泳動表示装置の表示部の具体的な構成について、図３を参照して説明する。
【００６５】
図３は、本実施形態に係る電気泳動表示装置の表示部の部分断面図である。
【００６６】
図３において、表示部３は、素子基板２８と対向基板２９との間に電気泳動素子２３が挟持される構成となっている。尚、本実施形態では、対向基板２９側に画像を表示することを前提として説明する。
【００６７】
素子基板２８は、例えばガラスやプラスチック等からなる基板である。素子基板２８上には、ここでは図示を省略するが、図２を参照して上述したトランジスタ２４、保持容量２７、走査線４０、データ線５０、共通電位線９３等が作り込まれた積層構造が形成されている。この積層構造の上層側に複数の画素電極２１がマトリクス状に設けられている。
【００６８】
対向基板２９は、例えばガラスやプラスチック等からなる透明な基板である。対向基板２９における素子基板２８との対向面上には、共通電極２２が複数の画素電極９ａと対向してベタ状に形成されている。共通電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００６９】
素子基板２８と対向基板２９との間には、画素を区画する隔壁８８が形成されている。素子基板２８、対向基板２９、隔壁８８に囲まれた領域（以下「セル」とも呼ぶ）には、分散媒８１と、分散媒８１中に分散された複数の白色粒子８２と、複数のシアン粒子８３と、複数の黄色粒子８４とが封入されている。即ち、電気泳動素子２３は、分散媒８１、白色粒子８２、シアン粒子８３、黄色粒子８４を含んで構成されている。
【００７０】
なお、電気泳動素子２３は、各画素に１つのマイクロカプセルを有する構成であってもよい。この場合、マイクロカプセル内に分散媒８１、白色粒子８２、シアン粒子８３、黄色粒子８４を封入する。また、マイクロカプセルは、例えば樹脂等からなるバインダー及び接着層によって素子基板２８及び対向基板２９間で固定される。
【００７１】
分散媒８１は、白色粒子８２、シアン粒子８３及び黄色粒子８４をセル内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００７２】
白色粒子８２は、本発明の「第３粒子」の一例であり、例えば二酸化チタン、亜鉛華（酸化亜鉛）、三酸化アンチモン等の白色顔料からなる粒子（高分子或いはコロイド）である。白色粒子８２は、例えば負に帯電されている。
【００７３】
シアン粒子８３は、本発明の「第１粒子」の一例であり、例えばフタロシアニンブルー、インダスレンブルー等のシアン色顔料からなる粒子（高分子或いはコロイド）である。シアン粒子８３は、例えば正に帯電されている。
【００７４】
黄色粒子８４は、本発明の「第２粒子」の一例であり、例えばカドミウムイエロー、チタンイエロー等の黄色顔料からなる粒子である。黄色粒子８４は、例えば正に帯電されている。
【００７５】
尚、シアン粒子８３及び黄色粒子８４は、互いに同じ極性に帯電されているが、単位質量あたりの電荷量が異なる。例えば、シアン粒子８３の電荷量は、３１．０μＣ／ｇ、黄色粒子８４の電荷量は、６７．１μＣ／ｇとされる。これにより、電圧を印加した場合のシアン粒子８３及び黄色粒子８４の挙動を、互いに異なるものとすることができる。
【００７６】
尚、これらの粒子には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００７７】
また、白色粒子８２、シアン粒子８３及び黄色粒子８４に用いる顔料を、例えば黒色や赤色等の顔料に代えることによって、黒色、赤色等を表示することができる。
【００７８】
次に、本実施形態に係る電気泳動表示装置の駆動方法について、図４から図１４を参照して説明する。尚、以下では、本実施形態に特有である工程のみを詳細に説明し、その他の工程については適宜説明を省略するものとする。
【００７９】
先ず、図４から図９を参照して、表示データの書き込み動作について説明する。
【００８０】
図４は、画素電極及び共通電極間に印加される電圧の変化を示すグラフであり、図５は緑表示を行う画素の書き込み時の電気泳動粒子を示す概念図である。また図６は、白表示を行う画素の書き込み時の電気泳動粒子を示す概念図（その１）であり、図７は、シアン表示を行う画素の書き込み時の電気泳動粒子を示す概念図である。さらに図８は、白表示を行う画素の書き込み時の電気泳動粒子を示す概念図（その２）であり、図９は、緑表示を行う画素の書き込み時の電気泳動粒子を示す概念図である。
【００８１】
図４において、先ず共通電極２２側の電位が低くなるように電圧を印加する。この場合、電気泳動素子２３における各粒子は、図５に示すようになる。具体的には、画素電極２１側に負に帯電した白色粒子８２が引き寄せられ、共通電極２２側に正に帯電したシアン粒子８３及び黄色粒子８４が引き寄せられる。シアン粒子８３及び黄色粒子８４は互いに混じった状態で、共通電極２２に引き寄せられる。よって、表示面からは、シアン粒子８３及び黄色粒子８４の両方が視覚可能となる。この結果、表示部３には、シアンと黄色が混じった緑色が表示される。
【００８２】
続いて、共通電極２２側の電位が高くなるように矩形波の電圧を印加する。この場合、電気泳動素子２３における各粒子は、図６に示すようになる。具体的には、画素電極２１側に正に帯電したシアン粒子８３及び黄色粒子８４が引き寄せられ、共通電極２２側に負に帯電した白色粒子８２が引き寄せられる。よって、表示面からは白色粒子８４が視覚可能となり、白色が表示される。
【００８３】
ここで特に、矩形波の電圧が印加された場合には、各粒子は相対的な位置関係を維持しつつ移動する。例えば、シアン粒子８３及び黄色粒子８４は、図５に示したように互いに混じり合った状態で共通電極２２側から画素電極２１側に移動する。よって、画素電極２１には、シアン粒子８３及び黄色粒子８４が混じり合った状態で存在することになる。
【００８４】
続いて、共通電極２２側の電位が低くなるように鋸波の電圧を印加する。この場合、電気泳動素子２３における各粒子は、図７に示すようになる。具体的には、画素電極２１側に負に帯電した白色粒子８２が引き寄せられ、共通電極２２側に正に帯電したシアン粒子８３及び黄色粒子８４が引き寄せられる。
【００８５】
ここで特に、鋸波の電圧が印加された場合には、先ず共通電極２２に単位質量あたりの電荷量が小さいシアン粒子８３が引き寄せられる。そして、その後に単位質量あたりの電荷量が大きい黄色粒子８４が引き寄せられる。このため、共通電極２２には、シアン粒子８３の層及び黄色粒子８４の層が形成される。これにより、表示面からはシアン粒子８３が視覚可能となり、シアンが表示される。
【００８６】
続いて、共通電極２２側の電位が高くなるように鋸波の電圧を印加する。この場合、電気泳動素子２３における各粒子は、図８に示すようになる。具体的には、画素電極２１側に正に帯電したシアン粒子８３及び黄色粒子８４が引き寄せられ、共通電極２２側に負に帯電した白色粒子８２が引き寄せられる。よって、表示面からは白色粒子８４が視覚可能となり、白色が表示される。
【００８７】
画素電極２１側においては、図７に示す場合と同様に、先ず単位質量あたりの電荷量が小さいシアン粒子８３が引き寄せられる。そして、その後に単位質量あたりの電荷量が大きい黄色粒子８４が引き寄せられる。このため、画素電極２２には、シアン粒子８３の層及び黄色粒子８４の層が形成される。従って、図６で示すような場合及び図８で示すような場合は、共に白色を表示しているものの、画素電極側の粒子状態が互いに異なったものとなる。
【００８８】
続いて、共通電極２２側の電位が低くなるように矩形波の電圧を印加する。この場合、電気泳動素子２３における各粒子は、図９に示すようになる。具体的には、画素電極２１側に負に帯電した白色粒子８２が引き寄せられ、共通電極２２側に正に帯電したシアン粒子８３及び黄色粒子８４が引き寄せられる。
【００８９】
矩形波の電圧が印加されることで、各粒子は相対的な位置関係を維持しつつ移動する。即ち、シアン粒子８３及び黄色粒子８４は、図８に示したように上層側に黄色粒子８４の層、下層側にシアン粒子８３の層が形成された状態で、画素電極２１側から共通電極２２側に移動する。よって、共通電極２２には、シアン粒子８３の層及び黄色粒子８４の層が形成される。これにより、表示面からは黄色粒子８４が視覚可能となり、黄色が表示される。
【００９０】
以上のように、本実施形態に係る電気光学装置の駆動方法では、緑色、白色、シアン、黄色の４色を表示することが可能である。そして特に、白色については、図６及び図８に示したように、２通りの表示方法がある。これらの方法によって白色が表示される画素２０は、シアン粒子８３及び黄色粒子８４が、画素電極２１側にどのような状態で引き寄せられているかが異なるのみであり、共通電極２２側から見る分には区別がつかない。よって、これらの２種類の画素２０を使い分けることで、表示画像中に視覚することができない秘匿データを埋め込むことができる。
【００９１】
具体的には、秘匿データが埋め込まれない画素２０は、図６に示した方法によって、画素電極２１にシアン粒子８３及び黄色粒子８４が互いに混じり合った状態で引き寄せられる。一方で、秘匿データが埋め込まれる画素２０は、図７に示した方法によって、画素電極２１にシアン粒子８３及び黄色粒子８４が互いに層をなすように引き寄せられる。このようにすれば、各画素は共に白色を表示しているにもかかわらず、確実に異なる粒子状態を有する画素となる。従って、画像閲覧者に、秘匿データの有無、或いは秘匿データがどこに存在するかを視覚的に判別できないようにして、確実に秘匿データを埋め込むことができる。
【００９２】
次に、図１０から図１４を参照して、上述したデータ書き込み動作に加えて、埋め込まれた秘匿データの読み出し及び消去動作について説明する。
【００９３】
図１０は、書き込まれるデータを種類別に示すマトリックス図である。
【００９４】
図１０において、本実施形態に係る電気泳動表示装置内では、各画素２０に表示されるデータは、シアン、黄、緑、白Ａ（即ち、秘匿データを有さない白）及び白Ｂ（即ち、秘匿データを有する白）の５種類に分けられる。各画素２０では、表示すべき色に応じて、画素電極２１及び共通電極２２に、それぞれに電圧が印加される（例えば、図４から図９参照）。
【００９５】
図１１は、書き込み時の表示面側の色を種類別に示すマトリックス図である。
【００９６】
図１１において、書き込みが行われた各画素２０の表示面（即ち、共通電極２２側の面）で表示される色は、シアン、黄、緑、白の４種類となる。即ち、秘匿データを有さない白（即ち、白Ａ）と、秘匿データを有する白（即ち、白Ｂ）は、各粒子の状態は異なるものとされるが、視覚的には同じ白となり判別できない。
【００９７】
図１２は、書き込み時の裏面側の色を種類別に示すマトリックス図である。
【００９８】
図１２において、書き込みが行われた各画素２０の裏面側（即ち、画素電極２１側）で表示される色は、緑、シアン、白の３種類となる。具体的には、表示面側においてシアン、黄色及び緑色が表示されている画素２０では、それぞれ白色が表示される。そして、白Ａが書き込まれた画素２０では緑色、白Ｂが書き込まれた画素２０ではシアンがそれぞれ表示される。即ち、裏面側から見れば、秘匿データを判別することができてしまう。
【００９９】
これに対し、裏面側から秘匿データを確認できないようにするには、画素電極２１（或いは、画素電極側に位置する他の部材）を、遮光性を有する部材から構成すればよい。一方で、作為的に裏面側から秘匿データを確認できるようにするには、画素電極２１を、透光性を有する部材から構成すればよい。
【０１００】
図１３は、秘匿データ読み出し時の表示色を種類別に示すマトリックス図である。
【０１０１】
図１３において、秘匿データを読み出す際には、表示面に白色が表示されている画素２０において、共通電極２２側の電位が低くなるように矩形波の電圧が印加される。このようにすれば、書き込み時に画素電極２１側に引き寄せられていたシアン粒子８３及び黄色粒子８４が、相対的な位置を保ちつつ、共通電極２２側に引き寄せられる。
【０１０２】
具体的には、秘匿データを有しない画素２０（即ち、白Ａが書き込まれた画素２０）は、書き込み時においてシアン粒子８３及び黄色粒子８４が互いに混じり合うように画素電極２１に引き寄せられている。このため、矩形波の電圧を印加すると、シアン粒子８３及び黄色粒子８４が互いに混じり合った状態で共通電極２２に引き寄せられる。即ち、図５に示すような状態となり、緑色が表示される。
【０１０３】
一方で、秘匿データを有する画素２０（即ち、白Ｂが書き込まれた画素２０）は、書き込み時においてシアン粒子８３及び黄色粒子８４が互いに層をなすように画素電極２１に引き寄せられている。このため、矩形波の電圧を印加すると、シアン粒子８３及び黄色粒子８４が互いに層をなした状態で共通電極２２に引き寄せられる。即ち、図９に示すような状態となり、黄色が表示される。
【０１０４】
以上のように、矩形波の電圧を印加することで、秘匿データが埋め込まれた画素と埋め込まれなかった画素において異なる色を表示させることが可能である。よって、視覚できない秘匿データを確実に読み出すことができる。また、本実施形態では特に、白色を表示している画素２０すべてに同様の電圧を印加すれば済むため、どの部分に秘匿データが埋め込まれているかを知らなくても、容易に秘匿データを読み出すことができる。
【０１０５】
図１４は、秘匿データ消去時の表示色を種類別に示すマトリックス図である。
【０１０６】
図１４において、秘匿データを消去する際には、表示面に白色が表示されている画素２０において、共通電極２２側の電位が低くなるように鋸波の電圧が印加される。このようにすれば、書き込み時に画素電極２１側に引き寄せられていたシアン粒子８３及び黄色粒子８４が、互いに層をなすように共通電極２２側に引き寄せられる。
【０１０７】
具体的には、秘匿データを有しない画素２０（即ち、白Ａが書き込まれた画素２０）及び秘匿データを有する画素２０（即ち、白Ｂが書き込まれた画素２０）の両方において、先ず単位質量あたりの電荷量が小さいシアン粒子８３が共通電極２２に引き寄せられる。続いて、単位質量あたりの電荷量が大きい黄色粒子８４が共通電極２２に引き寄せられる。これにより、図７に示すような状態となり、シアンが表示される。
【０１０８】
以上のように、鋸波の電圧を印加することで、秘匿データが埋め込まれた画素と埋め込まれなかった画素とで同じ色を表示させることが可能である。即ち、秘匿データが埋め込まれた画素及び埋め込まれなかった画素の粒子状態を、互いに同じにすることができる。よって、秘匿データは消去された状態となり、読み出し不可能となる。また、本実施形態では特に、白色を表示している画素２０すべてに同様の電圧を印加すれば済むため、どの部分に秘匿データが埋め込まれているかを知らなくても、容易に秘匿データを消去することができる。
【０１０９】
以上説明したように、本実施形態に係る電気泳動表示装置の駆動方法によれば、極めて簡便な方法で秘匿データの埋め込み、読み出し及び消去を行うことが可能である。
【０１１０】
＜電子機器＞
次に、上述した電気泳動表示装置を適用した電子機器について、図１５及び図１６を参照して説明する。以下では、上述した電気泳動表示装置を電子ペーパーに適用した場合を例にとる。
【０１１１】
図１５は、配布時の電子ペーパーくじを示す平面図である。
【０１１２】
図１５に示すように、電子ペーパーくじ１０００は、領域１０００ａに囲まれた中心部分に位置する領域１０００ｂが、上述した実施形態に係る電気泳動表示装置を、画像を表示する表示部として備えている。電子ペーパーくじ１０００は可撓性を有し、従来の紙と同様の質感及び柔軟性を有する書き換え可能なシートからなる。
【０１１３】
ここで、電子ペーパーくじの領域１０００ｂには、その配布時においては白色が表示されているのみである。即ち、秘匿データを有さない白Ａ及び秘匿データを有する白Ｂが混在しているものの、それらの存在や位置が視覚的には判別できないようにされている。
【０１１４】
図１６は、秘匿データ読み出し時の電子ペーパーくじを示す平面図である。
【０１１５】
図１６に示すように、電磁ペーパーくじにおいて所定の電圧を印加すると、秘匿データが埋め込まれた画素と秘匿データが埋め込まれなかった画素とで異なる色が表示され、それまで視覚できなかった文字が浮かび上がる。
【０１１６】
例えば、上述した電気泳動表示装置のように、白粒子８２、シアン粒子８３及び黄色粒子８４を備えている場合には、秘匿データが埋め込まれなかった画素において緑色が表示され、秘匿データが埋め込まれた画素において黄色が表示される。従って、緑色の背景に、黄色の文字が浮かび上がる。
【０１１７】
尚、秘匿データの読み出しは、どのような秘匿データかにかかわらず、所定の電圧を印加するだけでよいので、例えば安価で簡易な読み出し専用機が１台あれば済む。よって、機器の導入コストを抑制することができる。また、使用後の電子ペーパーくじ１０００は、回収し再利用することが可能である。
【０１１８】
尚、これらの他に、腕時計、携帯電話、携帯用オーディオ機器などの電子機器の表示部に、上述した本実施形態に係る電気泳動表示装置を適用することができる。
【０１１９】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置の駆動方法、並びに電気泳動表示装置及び電子機器もまた本発明の技術的範囲に含まれるものである。
【符号の説明】
【０１２０】
３…表示部、１０…コントローラ、２０…画素、２１画素電極、２２…共通電極、２３…電気泳動素子、２４…トランジスタ、２７…保持容量、２８…素子基板、２９…対向基板、４０…走査線、５０…データ線、６０…走査線駆動回路、７０…データ線駆動回路、８２…白色粒子、８３…シアン粒子、８４…黄色粒子、８８…隔壁、９３…共通電位線、２２０…共通電位供給回路
【図１】
2011232526.tif 000003
【図２】
2011232526.tif 000004
【図３】
2011232526.tif 000005
【図４】
2011232526.tif 000006
【図５】
2011232526.tif 000007
【図６】
2011232526.tif 000008
【図７】
2011232526.tif 000009
【図８】
2011232526.tif 000010
【図９】
2011232526.tif 000011
【図１０】
2011232526.tif 000012
【図１１】
2011232526.tif 000013
【図１２】
2011232526.tif 000014
【図１３】
2011232526.tif 000015
【図１４】
2011232526.tif 000016
【図１５】
2011232526.tif 000017
【図１６】
2011232526.tif 000018